【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
ハードカバー製品であって、
外側ライナーと、
選択されたサイズに予めカットされ、ハードカバー製品の背を規定するように間隔を空けて配置された一対のカバーボードであって、ハードカバー製品の対向するおもてカバー及び裏カバーを規定するとともに、それぞれの主たる面が前記外側ライナーの主たる面に付けられている、一対の硬質のカバーボードと、
ハードカバー製品の内部に協働的に支持された内部本体と
を具備し、
前記硬質のカバーボードの少なくとも一方は、
厚さを超える長さ及び幅を持つ、対向する平坦面を有する一対の対向するシートであって、該対向する一対のシートのうちの一方が、その平坦面のうちの一方の面上の選択された部分に設置領域を規定する、一対の対向するシートと、
前記設置領域上に設置された薄膜セキュリティ装置であって、前記硬質カバーボードの一方の厚さの小部分(minority)以下の厚さを有する装置とを具備し、
前記一対の対向するシートは、前記薄膜セキュリティ装置を間に隠すように挟み込むかたちで積層され、前記硬質カバーボードの一方の対向する辺は、その内部に前記薄膜セキュリティ装置が存在することを表面的に示さないように実質的に平行であり、それによって、前記硬質カバーボードの一方の中に封入され積層されたセキュリティ装置が、普段は表に現れないように隠され、積層後はハードカバー製品の意図する通常の使用中に安全かつ確実にその中に保持され、
それによって、前記対向する硬質カバーボードは、ハードカバー製品の背の対向する辺により規定される線に沿って折りたたみ式に共に移動する、ハードカバー製品のためのおもてカバーと裏カバーを規定する、ハードカバー製品。
【請求項２】
前記外側ライナーは、前記一対のシートのうちの一方の前記設置領域と整列された部分上に表示される、コード化表示を規定する請求項１記載のハードカバー製品。
【請求項３】
セキュリティ装置が、電子応答装置を含むシートである請求項１又は２記載のハードカバー製品。
【請求項４】
内部本体が、コンパクトディスクを収容するように構成された請求項１ないし３のいずれか１項に記載のハードカバー製品。
【請求項５】
前記内部本体は、側端部に沿って互いに結合された複数の頁を具備して書籍を規定する請求項１ないし３のいずれか１項に記載のハードカバー製品。
【請求項６】
前記内部本体は、シートを収容するためのリング部材を具備する請求項１ないし３のいずれか１項に記載のハードカバー製品。
【請求項７】
前記セキュリティ装置がRFID装置である請求項１ないし６のいずれか１項に記載のハードカバー製品。
【請求項８】
前記硬質のカバーボードがチップボードである請求項１ないし７のいずれか１項に記載のハードカバー製品。
【請求項９】
前記硬質のカバーボードがボール紙である請求項１ないし７のいずれか１項に記載のハードカバー製品。
【請求項１０】
前記硬質のカバーボードが繊維板である請求項１ないし７のいずれか１項に記載のハードカバー製品。
【請求項１１】
ハードカバー製品であって、
外側ライナーと、
選択されたサイズに予めカットされた、厚さを超える長さ及び幅を持つ対向する平坦面を有する一対のカバーボードであって、各々が前記平坦面の一方で前記外側ライナーの主たる面に付けられ、ハードカバー製品の背を規定するように間隔を空けて配置され、ハードカバー製品の対向するおもてカバー及び裏カバーを規定するとともに、一対のうちの少なくとも一方が、その対向する平坦面のうちの一方の選択された部分内に設置領域を規定する、一対のカバーボードと、
前記設置領域上に設置された、前記カバーボードのうちの一方の厚さの小部分(minority)以下の厚さを有する薄膜セキュリティ装置と、
前記カバーボードのうちの一方の対向する平坦面に対して積層するように付けられた内側ライナーと、
ハードカバー製品の内部に協働的に支持される内部本体と
を具備し、
ここで、前記内側ライナーと、前記薄膜セキュリティ装置と、前記カバーボードの一方と、前記外側ライナーとが、薄膜セキュリティ装置を中に隠すように挟み込むかたちで互いに積層され、それによって、そこに封入されたセキュリティ装置が、普段は表に現れないように隠され、積層後はハードカバー製品の意図する通常の使用中に安全かつ確実にその中に保持され、
それによって、前記対向するカバーボードが、背の対向する辺により規定される線に沿って折りたたみ式に共に移動する、ハードカバー製品のためのおもてカバーと裏カバーを規定する、ハードカバー製品。
【請求項１２】
前記外側ライナーは、前記一対のシートのうちの一方の前記設置領域と整列された部分上に表示される、コード化表示を規定する請求項１１記載のハードカバー製品。
【請求項１３】
セキュリティ装置が、電子応答装置を含むシートである請求項１１又は１２記載のハードカバー製品。
【請求項１４】
内部本体がコンパクトディスクを収容するように構成された請求項１１ないし１３のいずれか１項に記載のハードカバー製品。
【請求項１５】
前記内部本体は、側端部に沿って互いに結合された複数の頁を具備して書籍を規定する請求項１１ないし１３のいずれか１項に記載のハードカバー製品。
【請求項１６】
前記内部本体は、シートを収容するためのリング部材を具備する請求項１１ないし１３のいずれか１項に記載のハードカバー製品。
【請求項１７】
前記セキュリティ装置がRFID装置である請求項１１ないし１６のいずれか１項に記載のハードカバー製品。
【請求項１８】
前記カバーボードがチップボードである請求項１１ないし１７のいずれか１項に記載のハードカバー製品。
【請求項１９】
前記カバーボードがボール紙である請求項１１ないし１７のいずれか１項に記載のハードカバー製品。
【請求項２０】
前記カバーボードが繊維板である請求項１１ないし１７のいずれか１項に記載のハードカバー製品。
【請求項２１】
ハードカバー製品であって、
外側ライナーと、
選択されたサイズに予めカットされた、厚さを超える長さ及び幅を持つ対向する平坦面を有する一対のカバーボードであって、ハードカバー製品のための内部本体の背を受ける間隙を規定するように間隔を空けて配置され、ハードカバー製品の対向するおもてカバー及び裏カバーを規定するとともに、それぞれが平坦面の一方で外側ライナーの主たる面に付けられ、さらに、一対のうちの少なくとも一方が、対向する平坦面のうちの一方の選択された部分内に設置領域を規定する、一対のカバーボードと、
前記設置領域上に設置された、前記カバーボードのうちの一方の厚さの小部分(minority)以下の厚さを有する薄膜セキュリティ装置と、
前記カバーボードのうちの一方の対向する平坦面に対して積層するように付けられた内側ライナーと、
ハードカバー製品の内部に協働的に支持される内部本体と
を具備し、
ここで、前記内側ライナーと、前記セキュリティ装置と、カバーボードの一方と、外側ライナーとが、薄膜セキュリティ装置を中に隠すように挟み込むかたちで互いに積層されており、それによって、そこに封入されたセキュリティ装置が、普段は表に現れないように隠され、積層後はハードカバー製品の意図する通常の使用中に安全かつ確実にその中に保持され、
それによって、前記対向するカバーボードは、前記間隙の対向する辺により規定される線に沿って折りたたみ式に共に移動する、ハードカバー製品のためのおもてカバーと裏カバーを規定する、ハードカバー製品。
【請求項２２】
前記外側ライナーは、前記カバーボードのうちの一方の前記設置領域と整列された部分上に表示される、コード化表示を規定する請求項２１記載のハードカバー製品。
【請求項２３】
セキュリティ装置が、電子応答装置を含むシートである請求項２１又は２２記載のハードカバー製品。
【請求項２４】
前記内部本体がコンパクトディスクを収容するように構成された請求項２１ないし２３のいずれか１項に記載のハードカバー製品。
【請求項２５】
前記内部本体は、側端部に沿って互いに結合された複数の頁を具備して書籍を規定する請求項２１ないし２３のいずれか１項に記載のハードカバー製品。
【請求項２６】
前記内部本体は、シートを収容するためのリング部材を具備する請求項２１ないし２３のいずれか１項に記載のハードカバー製品。
【請求項２７】
前記セキュリティ装置がRFID装置である請求項２１ないし２６のいずれか１項に記載のハードカバー製品。
【請求項２８】
前記設置領域が凹部を具備する請求項１ないし１０のいずれか１項に記載のハードカバー製品。
【請求項２９】
前記設置領域がデボス加工部を具備する請求項１ないし１０のいずれか１項に記載のハードカバー製品。
【請求項３０】
前記設置領域が凹部を具備する請求項１１ないし２０のいずれか１項に記載のハードカバー製品。
【請求項３１】
前記設置領域がデボス加工部を具備する請求項１１ないし２０のいずれか１項に記載のハードカバー製品。
【請求項３２】
前記設置領域が凹部を具備する請求項２１ないし２７のいずれか１項に記載のハードカバー製品。
【請求項３３】
前記設置領域がデボス加工部を具備する請求項２１ないし２７のいずれか１項に記載のハードカバー製品。
【請求項３４】
少なくとも硬質カバーボードの一方の対向する平坦面に対して積層するように付けられた内側ライナーをさらに具備する請求項１〜１０、２８及び２９のいずれか１項に記載のハードカバー製品。
【請求項３５】
背の間隙に受けられる背部材をさらに具備する請求項１１〜２０、３０及び３１のいずれか１項に記載のハードカバー製品。
【手続補正２】
【補正対象書類名】明細書
【補正対象項目名】００４０
【補正方法】変更
【補正の内容】
【００４０】
カバーボード１９６、１９８は、それぞれの対向する面に対して例えば接着剤により、積層されるように取り付けられる内側ライナー２００をそれぞれ具備する。ライナー２００は、上記した可撓性材料の１種のような適切な積層材料から典型的に形成される上記した内側ライナー１８と同じ又はこれらと類似している。カバーボード１９６、１９８とライナー２００は、互いに積層され、ハードカバー製品１９４を構成する。
【手続補正３】
【補正対象書類名】明細書
【補正対象項目名】００４１
【補正方法】変更
【補正の内容】
【００４１】
図示の具体例では、ボード１９８は、薄膜型セキュリティ装置１８８を設置するための設置領域２０２を主たる平坦面上に規定する。薄膜型セキュリティ装置１８８は、接着剤等により設置領域２０２上に設置される。薄膜型セキュリティ装置１８８は、接着剤層を具備していてもよく、あるいは、ノズルを介して接着剤を設置領域に塗布することができる。ライナー２００は、ボード１９８に積層され又はそうでなければその上に重ねて結合され（例えば接着剤により）、ライナー２００とカバーボード１９８の間に薄膜型セキュリティ装置１８８が隠されるように封入され、それによって、実質的に又は完全にその存在が隠される。別の具体例では、同様に、設置領域２０２は、外側ライナー１２により覆われるカバーボード１９８の表面上にある。